(57)【要約】【課題】同報型と個別型の配信を統合的に利用し、効率的にメタデータを利用者に提供する。【解決手段】コンテンツ毎の配信優先度と情報内容毎の配信優先度とを配信優先度管理部１１で受け付け、それをメタデータ配信判定部１２に供給し、そのメタデータの同報配信優先度と、ネットワーク条件管理部１３からの同報配信に利用可能な伝送帯域及び再送周期と、メタデータ蓄積部１４からのメタデータのメタデータ容量から、同報型で配信するメタデータを複数の再送周期毎に判定し、判定結果をメタデータ分離処理部１５に供給する。分離処理部１５では、メタデータ配信判定部１２から与えられた情報に基づいて、実際のメタデータをファイルとして分割し、同報配信が可能なファイルは、再送周期毎に分割を行い、伝送方式に応じた同報配信サーバ１６に配置し、同報配信しないメタデータファイルは、個別配信サーバ１７に配置する。【選択図】  図１
2004362261.tif 000002
【特許請求の範囲】
【請求項１】
コンテンツに関する属性情報を記述したメタデータを受信端末に同報配信又は個別配信する配信手段を備え、前記配信手段からメタデータの配信を実行するメタデータ配信方法において、
前記メタデータの配信優先度と伝送方式のネットワーク条件から、全配信メタデータのうち同報配信するメタデータと個別配信するメタデータとを判定し、この判定結果から同報又は個別配信メタデータをそれぞれ別々に分離し、その後、分離したメタデータをそれぞれ同報配信手段又は個別配信手段に供給し、この配信手段から別々にメタデータの配信を実行することを特徴とするメタデータ配信方法。
【請求項２】
請求項１に記載のメタデータ配信方法において、
前記ネットワーク条件における再送する周期が、頻度の異なる複数の再送周期からなることを特徴とするメタデータ配信方法。
【請求項３】
請求項１に記載のメタデータ配信方法において、
前記伝送方式は、メタデータ配信対象の受信端末が受信可能な方式を判定し、これに応じてメタデータを配信することを特徴とするメタデータ配信方法。
【請求項４】
コンテンツに関する属性情報を記述したメタデータを受信端末に同報配信又は個別配信する配信手段を備え、前記配信手段からメタデータを配信するメタデータ配信用送信装置において、
前記メタデータの配信優先度と伝送方式のネットワーク条件から、全配信メタデータのうち同報配信するメタデータと個別配信するメタデータとを配信判定する手段と、この配信判定する手段が判定した結果から同報又は個別配信メタデータをそれぞれ別々に分離する手段と、この分離手段より分離されたメタデータがそれぞれ供給される同報配信手段又は個別配信手段とを有し、
前記配信手段から別々にメタデータを配信することを特徴とするメタデータ配信用送信装置。
【請求項５】
請求項４に記載のメタデータ配信用送信装置において、
前記ネットワーク条件における再送する周期が、頻度の異なる複数の再送周期からなることを特徴とするメタデータ配信用送信装置。
【請求項６】
請求項４に記載のメタデータ配信用送信装置において、
前記伝送方式は、メタデータ配信対象の受信端末が受信可能な方式を判定し、これに応じてメタデータを配信することを特徴とするメタデータ配信用送信装置。
【請求項７】
コンテンツに関する属性情報を記述したメタデータを受信端末に同報配信又は個別配信する配信手段を備え、前記配信手段からメタデータを配信するメタデータ配信用送信装置の機能プログラムを記録した記録媒体において、
前記メタデータの配信優先度と伝送方式のネットワーク条件から、全配信メタデータのうち同報配信するメタデータと個別配信するメタデータとを判定する手順と、この手順の判定結果から同報又は個別配信メタデータをそれぞれ別々に分離する手順と、この手順で分離されたメタデータをそれぞれ同報配信手段又は個別配信手段に供給する手順からなる送信装置の機能プログラムを記録媒体に記録したコンピュータ読み取り可能な記録媒体。
【請求項８】
請求項７に記載のメタデータ配信用送信装置の機能プログラムを記録した記録媒体において、
前記ネットワーク条件における再送する周期が、頻度の異なる複数の再送周期からなる手順の機能プログラムを記録媒体に記録したコンピュータ読み取り可能な記録媒体。
【請求項９】
請求項７に記載のメタデータ配信用送信装置の機能プログラムを記録した記録媒体において、
前記伝送方式は、メタデータ配信対象の受信端末が受信可能な方式を判定し、これに応じてメタデータを配信する手順の機能プログラムを記録媒体に記録したコンピュータ読み取り可能な記録媒体。
【発明の詳細な説明】
【０００１】
【発明に属する技術分野】
本発明は、メタデータサービス提供事業者が利用者にコンテンツに関する属性情報を記述したメタデータの配信を行う際に、サーバ側主導の配信スケジュールで複数利用者に一括配信する同報配信と利用者側要求に基づく個別配信を統合的に利用してメタデータの配信を実行するためのメタデータ配信方法及びメタデータ配信用送信装置及びメタデータ配信用送信装置の機能プログラムを記録した記録媒体に関するものである。
【０００２】
【従来の技術】
従来のメタデータの配信方式として、図５はＤＳＭ−ＣＣデータカルーセル伝送方式による同報配信の説明図、図６はＨＴＴＰアクセスによる個別配信の説明図、及び図７はこれら配信を統合したときの説明図である。
【０００３】
図５に示すデータカルーセル伝送方式による同報配信や図示しないＩＰマルチキャスト等の同報配信を用いることで、複数の利用者（受信機を持つ利用者）が共通に必要としているメタデータを、サービス提供者が衛星を使用して一括で配信することが可能であり（図５では一例として衛星を使用する場合について述べているが、有線回線を使用しても良い）、個別配信に比べて、サーバやネットワークの負荷を増大させずに、メタデータを配信することが可能である。
【０００４】
しかし、上記のような単純な同報配信では、利用者のデータ受信のタイミングには、ばらつきがあることから、ある一定の再送周期で同一のメタデータを繰り返し配信する必要があり、伝送帯域の制約から、配信可能なメタデータ総容量には制限が生じる。
【０００５】
また、図６に示すＨＴＴＰ等の個別型のメタデータ配信では、メタデータサーバからネットワークを介して利用者が要望する任意のタイミングで要求メタデータを取得することが可能である。
【０００６】
しかし、個別配信のみでは、大規模数の利用者のアクセスが集中することもあり得るため、サーバやネットワークの負荷が増大する問題がある。
【０００７】
そこで、図７に示す同報配信と個別配信を統合的に利用して、利用者に番組コンテンツに関するメタデータを提供することも可能である。この方式では、複数の利用者が必要としているメタデータのみを同報配信し、少人数の利用者のみが必要とするメタデータを個別配信することで、サーバやネットワークの負荷を押さえつつ、一定の再送周期内の同報配信と個別配信の即時性により、利用者の利便性を高めることが可能である。
【０００８】
例えば、利用者が共通的に使用するようなコンテンツのタイトル、配信時刻や概要説明等を同報配信し、コンテンツの詳細説明は必要な利用者のみが個別配信で受信する等の統合利用が考えられる。
【０００９】
また、人気の高いコンテンツに関するメタデータは全て同報配信で配信し、人気の低い（利用者の少ない）コンテンツに関するメタデータは個別配信で受信する等の運用方法もある。
【００１０】
【特許文献１】
特開２００２−３４４９３５号公報
【００１１】
【発明が解決しようとする課題】
従来、同報配信と個別配信を統合的に利用方法して、利用者に番組コンテンツに関するメタデータを提供する場合、１つのメタデータを同報配信用のメータデータと、個別配信用のメタデータに分割して、各配信サーバに格納する際に、配信経路の分割を最適に判断する機構が存在しなかった。
【００１２】
例えば、「概要情報は同報型、詳細情報は個別型」や「人気コンテンツのメタデータは同報型、マイナーコンテンツのメタデータは個別型」というように固定的に情報を分割して、それぞれのサーバや送信装置に配置する手段を採用していた。
【００１３】
このため、情報の分割は固定的となり、同報配信において、要求される再送周期を満たす配信帯域が最適に見積もれない、またはメタデータを同報配信することによる個別配信の削減が見込めない等の問題があった。
【００１４】
さらに、メタデータ数、メタデータの記述詳細度が異なる場合、同報配信に必要となる配信帯域が最適に見積れないという問題もある。つまり、数や記述詳細度の増大によってメタデータ総容量が増加した場合においても、一定の再送周期を守ることが必須であり、最大のメタデータ容量を想定して配信帯域を確保する必要がある。
【００１５】
このため、ネットワークの最適な設計を困難にするとともに、メタデータ制作者に対して記述詳細度を制限してしまう問題がある。
【００１６】
また、あるコンテンツに関するメタデータが一定以上の容量に達した場合、固定的に制限を越えたものを個別配信する等の方法をとれば、同報配信の伝送帯域の設計や、再送周期の確保は容易であるが、大多数の利用者が必要とするメタデータを同報配信できなくなる可能性があり、個別配信でメタデータを要求する利用者が増大する場合、サーバ及びネットワークの負荷が増大するという問題がある。
【００１７】
本発明は、上記の事情に鑑みてなされたもので、メタデータの同報配信優先度と同報配信の伝送帯域・再送周期等を用いて同報配信で提供する部分と個別配信で提供する部分にメタデータを分割し、各々の経路で効率的に伝送することを特徴とするメタデータ配信方法及びメタデータ配信用送信装置及びメタデータ配信用送信装置の機能プログラムを記録した記録媒体を提供することを課題とする。
【００１８】
【課題を解決するための手段】
上記の課題を達成するために、本発明は、コンテンツに関する属性情報を記述したメタデータを受信端末に同報配信又は個別配信する配信手段を備え、前記配信手段からメタデータの配信を実行するメタデータ配信方法において、
前記メタデータの配信優先度と伝送方式のネットワーク条件から、全配信メタデータのうち同報配信するメタデータと個別配信するメタデータとを判定し、この判定結果から同報又は個別配信メタデータをそれぞれ別々に分離し、その後、分離したメタデータをそれぞれ同報配信手段又は個別配信手段に供給し、この配信手段から別々にメタデータの配信を実行することを特徴とするメタデータ配信方法を、その解決の手段とする。
【００１９】
あるいは、上記のメタデータ配信方法において、前記ネットワーク条件における再送する周期が、頻度の異なる複数の再送周期からなることを特徴とするメタデータ配信方法を、その解決の手段とする。
【００２０】
あるいは、上記のメタデータ配信方法において、前記伝送方式は、メタデータ配信対象の受信端末が受信可能な方式を判定し、これに応じてメタデータを配信することを特徴とするメタデータ配信方法を、その解決の手段とする。
【００２１】
また、コンテンツに関する属性情報を記述したメタデータを受信端末に同報配信又は個別配信する配信手段を備え、前記配信手段からメタデータを配信するメタデータ配信用送信装置において、
前記メタデータの配信優先度と伝送方式のネットワーク条件から、全配信メタデータのうち同報配信するメタデータと個別配信するメタデータとを配信判定する手段と、この配信判定する手段が判定した結果から同報又は個別配信メタデータをそれぞれ別々に分離する手段と、この分離手段より分離されたメタデータがそれぞれ供給される同報配信手段又は個別配信手段とを有し、
前記配信手段から別々にメタデータを配信することを特徴とするメタデータ配信用送信装置を、その解決の手段とする。
【００２２】
あるいは、上記のメタデータ配信用送信装置において、前記ネットワーク条件における再送する周期が、頻度の異なる複数の再送周期からなることを特徴とするメタデータ配信用送信装置を、その解決の手段とする。
【００２３】
あるいは、上記のメタデータ配信用送信装置において、前記伝送方式は、メタデータ配信対象の受信端末が受信可能な方式を判定し、これに応じてメタデータを配信することを特徴とするメタデータ配信用送信装置を、その解決の手段とする。
【００２４】
さらに、コンテンツに関する属性情報を記述したメタデータを受信端末に同報配信又は個別配信する配信手段を備え、前記配信手段からメタデータを配信するメタデータ配信用送信装置の機能プログラムを記録した記録媒体において、
前記メタデータの配信優先度と伝送方式のネットワーク条件から、全配信メタデータのうち同報配信するメタデータと個別配信するメタデータとを判定する手順と、この手順の判定結果から同報又は個別配信メタデータをそれぞれ別々に分離する手順と、この手順で分離されたメタデータをそれぞれ同報配信手段又は個別配信手段に供給する手順からなる送信装置の機能プログラムを記録媒体に記録したコンピュータ読み取り可能な記録媒体を、その解決の手段とする。
【００２５】
あるいは、上記のメタデータ配信用送信装置の機能プログラムを記録した記録媒体において、前記ネットワーク条件における再送する周期が、頻度の異なる複数の再送周期からなる手順の機能プログラムを記録媒体に記録したコンピュータ読み取り可能な記録媒体を、その解決の手段とする。
【００２６】
あるいは、上記のメタデータ配信用送信装置の機能プログラムを記録した記録媒体において、前記伝送方式は、メタデータ配信対象の受信端末が受信可能な方式を判定し、これに応じてメタデータを配信する手順の機能プログラムを記録媒体に記録したコンピュータ読み取り可能な記録媒体を、その解決の手段とする。
【００２７】
本発明では、メタデータの同報配信優先度と同報配信の伝送帯域、再送周期伝送方式等を用いて同報配信で提供する部分と個別配信で提供する部分にメタデータを分割し、各々の配信経路で効率的に伝送することを特徴とする。
【００２８】
また、本発明では、送信局において、配信されるべきコンテンツ毎のメタデータファイルにそれぞれ付加された同報配信優先度と、メタデータ中の要素・属性（情報内容）毎の同報配信優先度を合わせて考慮し、同報配信用の伝送帯域と複数の再送周期から、ある時間内に同報型で配信可能なファイル容量に応じて各メタデータの同報配信部分を決定する。同報配信用のメタデータは、複数の再送周期に応じて、複数種類に分離され得る。また、いずれの同報配信も不可能なメタデータ要素・属性は、別ファイルに分離され、個別配信を行うサーバに配置する。以上により、同報型と個別型の配信を統合的に利用した場合の課題を解決し、効率的にメタデータを利用者に提供することが可能となる。
【００２９】
【発明の実施の形態】
以下、本発明の実施の形態を、図面を参照して詳細に説明する。図１は、メタデータの同報配信優先度と同報配信の利用可能な伝送帯域、再送周期、伝送方式等を用いて同報配信で提供する部分と、個別配信で提供する部分にメタデータを分割し、各々の経路で効率的に伝送する本発明を使用したシステム構成の実施の形態を示すブロック構成図である。
【００３０】
図１に示すシステム構成は、図７に示す、例えばメタデータサーバに使用される。図１において、配信優先度管理部１１は、コンテンツ毎のメタデータ配信優先度及び情報内容毎の配信優先度を受け付けて、これを管理した上で、メタデータ配信判定部１２からの要求に従って、メタデータ配信判定部１２に情報を供給する機能を有している。
【００３１】
一方、ネットワーク条件管理部１３は、同報配信における伝送帯域と同一メタデータを繰り返し再送する周期、伝送方式を受け付け管理する機能を有し、再送周期は、頻度の異なる複数の周期を管理可能であり、これらの情報を、メタデータ配信判定部１２からの要求に従って、情報を供給する機能を有している。
【００３２】
メタデータ蓄積部１４は、コンテンツの属性情報を記述したメタデータを蓄積し、メタデータ配信判定部１２からの要求に応じて、メタデータを供給する機能を有する。
【００３３】
メタデータ配信判定部１２は、配信優先度管理部１１から得られるメタデータの同報配信優先度と、ネットワーク条件管理部１３から得られる同報配信の伝送帯域及び再送周期と、メタデータ蓄積部１４から得られるメタデータのデータ容量から、同報型で配信するメタデータを複数の再送周期毎に判定し、判定結果をメタデータ分離処理部１５に供給する機能を有する。
【００３４】
メタデータ分離処理部１５は、メタデータ配信判定部１２から受け渡された情報に基づいて、実際のメタデータをファイルとして分割処理し、同報配信が可能なものは、再送周期毎に分割を行い、伝送方式に応じた同報配信用のサーバ１６に配置する。なお、個別配信を利用するものは、個別配信サーバ１７に配置する。
【００３５】
上記同報配信用のサーバ１６は、ＩＰマルチキャスト伝送方式の同報配信サーバ１６ａとデータカルーセル伝送方式の同報配信サーバ１６ｂから構成されている。
【００３６】
前者の同報配信サーバ１６ａは、受け渡された同報配信用のメタデータファイルを指定された再送周期に従って、ＩＰマルチキャスト伝送方式にて同報配信する機能を有し、後者の同報配信サーバ１６ｂは、受け渡された同報配信用のメタデータファイルを指定された再送周期に従って、ＤＳＭ−ＣＣデータカルーセル伝送方式にて同報配信する機能を有する。
【００３７】
個別配信サーバ１７は、受け渡された個別配信用のメタデータファイルを保持し、利用者側からの配信要求に従って、個別にメタデータファイルを返送する機能を有する。
【００３８】
上記のように構成された本実施の形態におけるシステムでは、コンテンツの属性情報を記述するメタデータをコンテンツ毎の配信優先度と情報内容毎の配信優先度とを配信優先度管理部１１で受け付けた後、メタデータ配信判定部１２から要求があったときに、受け付けた情報をメタデータ配信判定部１２に供給する。
【００３９】
メタデータ配信判定部１２では、受け付けたメタデータの同報配信優先度と、ネットワーク条件管理部１３からの同報配信に利用可能な伝送帯域及び再送周期と、メタデータ蓄積部１４からのメタデータのメタデータ容量から、同報型で配信するメタデータを複数の再送周期毎に判定し、判定結果をメタデータ分離処理部１５に供給する。
【００４０】
メタデータ分離処理部１５では、メタデータ配信判定部１２から与えられた情報に基づいて、後述する図２に示す分離処理により実際のメタデータをファイルとして分割する。この処理により、同報配信が可能なメタデータファイルは、再送周期毎に分割を行い、伝送方式に応じた同報配信サーバ１６ａ，１６ｂに配置する。
【００４１】
また、同報配信しないメタデータファイルについては、個別配信サーバ１７に配置し、利用者からの要求に基づいて、適宜配信を行なって、同報配信で提供する部分と個別配信で提供する部分にメタデータファイルを自動的に分割し効率的な配信を実現する。
【００４２】
上述した本実施の形態は、図７に示す従来のシステムと異なる機能を持つもので、その異なる構成要素は、コンテンツ毎の配信優先度と情報内容毎の配信優先度の入力を受け付けて管理する配信優先度管理部１１、同報配信で利用可能な伝送帯域、同一メタデータを繰り返し再送する周期、伝送方式等のネットワー一ク条件の入力を受け付けて管理するネットワーク条件管理部１３、配信優先度と伝送帯域・再送周期から同報配信するメタデータと個別配信するメタデータとを判定するメタデータ配信判定部１２、判定結果からメタデータを別々のファイルに分離してこれを該当する適切な配信サーバに受け渡すメタデータ分離処理部１５である。
【００４３】
図２はメタデータ分離処理部１５の概要について述べる説明図で、この図２において、メタデータ配信判定部１２から送られてきたコンテンツＡ，Ｂ，Ｃのメタデータは、メタデータ分離処理部１５で、同報配信用のコンテンツＡ，Ｂのメタデータと、個別配信用のコンテンツＡ，Ｂ，Ｃのメタデータに分離され、それぞれ同報配信サーバ１６と個別配信サーバ１７に配置される。
【００４４】
図３は配信優先度管理部１１で管理するコンテンツ毎の配信優先度と情報内容毎の配信優先度順位の例を示すテーブルである。
【００４５】
次に、図４に示すフローチャートにより本実施の形態におけるシステムの動作について述べる。
【００４６】
まず、スタートして、ステップＳ１で配信優先度管理部１１にて管理されるコンテンツ毎の配信優先度と情報内容毎の配信優先度を配信優先度管理部１１にて読み込み、これをメタデータ配信判定部１２に供給する。
【００４７】
また、ステップＳ２でネットワーク条件管理部１３にて管理される伝送帯域、再送周期、伝送方式等のネットワーク条件をネットワーク条件管理部１３にて読み込み、これをメタデータ配信判定部１１に供給する。
【００４８】
さらに、ステップＳ３でメタデータ蓄積部１４にて管理されるメタデータをメタデータ蓄積部１４にて読み込み、これをメタデータ配信判定部１２に供給する。
【００４９】
メタデータ配信判定部１２では、受け渡された上記情報から後述のようにステップＳ４で配信経路を判定する。
【００５０】
まず、メタデータ配信判定部１２では、伝送帯域と再送周期から、単位時間に伝送可能なメタデータ容量を算定し、再送周期が複数ある場合には、再送周期毎にメタデータ容量を算定する。
【００５１】
また、メタデータ配信判定部１２では、コンテンツ毎の配信優先度と情報内容毎の配信優先度を、ある重み付けによって、合算し、各メタデータ要素・属性の同報配信優先度を算定する。
【００５２】
さらに、メタデータ配信判定部１２では、優先度が上位のものから、データ容量の和を計算していき、上限のメタデータ容量に達した場合に、次の再送周期で配信するデータ容量について計算を繰り返す。
【００５３】
そして、メタデータ配信判定部１２では、全再送周期について、計算を終えたのち、各再送周期で配信するメタデータ要素・属性の分類結果を利用する伝送方式と合わせて、ステップＳ４で配信経路を判定したのち、これら情報をメタデータ分離処理部１５に供給する。
【００５４】
メタデータ分離処理部１５では、上記分類結果に基づいて、ステップＳ５でメタデータを個別のファイルに分割し、指定された伝送方式に対応する同報配信サーバ１６に再送周期の通知とともにメタデータファイルを配置する（ステップＳ６）。また、個別配信用のメタデータファイルは、個別配信サーバ１７に配置する（ステップＳ７）。
【００５５】
その後、メタデータファイルが供給された同報配信サーバ１６には、指定された再送周期に従ってメタデータファイルが繰り返し同報配信される。またメタデータファイルが供給された個別配信サーバ１７は、利用者からの要求に従って、該当するメタデータファイルを個別配信する。
【００５６】
以上の動作により、同報型と個別型の配信を統合的に利用する形態において、複数利用者が必要とするメタデータを指定されたネットワーク条件に沿って同報配信することが可能となり、個別配信と合わせて利用者にメタデータを効率的に配信することが可能となる。
【００５７】
なお、図１に示したブロック構成図における各部の一部若しくは全部の機能をコンピュータプログラムで構成し、そのプログラムをコンピュータを用いて実行して、本発明を実現することができること、あるいは、図４に示したステップをコンピュータのプログラムで構成し、そのプログラムをコンピュータに実行させることができることは言うまでもなく、コンピュータでその機能を実現するためのプログラム、あるいは、コンピュータにその処理ステップを実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクに記録して、保存したり、配布したりすることが可能である。
【００５８】
また、上記のプログラムをインターネットや電子メールなど、ネットワークを通して提供することも可能である。このように、記録媒体やネットワークにより提供されたプログラムをコンピュータにインストールすることで、本発明が実施可能である。
【００５９】
【発明の効果】
以上述べたように、本発明によれば、メタデータの同報配信優先度と同報配信における伝送帯域・再送周期等のネットワーク条件を用いて、同報配信で提供する部分と個別配信で提供する部分にメタデータを分割し、各々の経路で伝送可能である。
【００６０】
また、本発明によれば、メタデータの総容量に関わらず、指定の伝送帯域内で一定の再送周期で、複数の利用者が必要とするメタデータを同報配信するとともに、個別配信にて、少数の利用者が必要とするメタデータを即時に配信することができ、同報配信と個別配信の利点を最大限に引き出すメタデータ配信が実現できる。
【図面の簡単な説明】
【図１】本発明の実施の形態を示すブロック構成図。
【図２】実施の形態におけるメタデータ分離処理部の概要について述べる説明図。
【図３】配信優先度管理部で管理するコンテンツ毎の配信優先度と情報内容毎の配信優先度順位の例を示すテーブル。
【図４】実施の形態における処理の流れを述べるフローチャート。
【図５】従来のＤＳＭ−ＣＣデータカルーセル伝送方式による同報配信の説明図。
【図６】従来のＨＴＴＰアクセスによる個別配信の説明図。
【図７】従来の同報配信と個別配信を統合的に用いた説明図。
【符号の説明】
１１…配信優先度管理部
１２…メタデータ配信判定部
１３…ネットワーク条件管理部
１４…メタデータ蓄積部
１５…メタデータ分離処理部
１６…同報配信サーバ
１７…個別配信サーバ
【図１】
2004362261.tif 000003
【図２】
2004362261.tif 000004
【図３】
2004362261.tif 000005
【図４】
2004362261.tif 000006
【図５】
2004362261.tif 000007
【図６】
2004362261.tif 000008
【図７】
2004362261.tif 000009